(57)【特許請求の範囲】
【請求項１】
軸方向一側に開口を形成した中空の筐体を有するシャワーヘッド本体と、
前記シャワーヘッド本体の筐体の内部空間に収容して配設されると共に、水源からの給水を導入する貯水空間を有する貯水部とを備え、
前記貯水部は、前記シャワーヘッド本体の筐体の内部空間において前記軸方向に往復移動自在となるよう配設されると共に、前記シャワーヘッド本体の内部空間において前記軸方向の所定位置に配置自在となっており、
前記貯水部は、前記シャワーヘッド本体の筐体の開口に面する側面となる一側面を、前記シャワーヘッド本体の筐体の開口を介して前記シャワーヘッド本体の外部に露出しており、
更に、
前記貯水部の一側面に、前記シャワーヘッド本体の筐体の軸方向に沿って延びるよう突出する筒状をなすと共に、前記貯水部の貯水空間と連通する通水空間を有するノズルを一体的に設け、
前記ノズルの先端に吐水面を設けると共に、前記吐水面には、前記貯水部の貯水空間から前記通水空間に導入した給水を外部に吐出する吐水孔を形成し、
前記ノズルを前記貯水部と共に前記シャワーヘッド本体の筐体の軸方向に沿って往復移動することで、前記シャワーヘッド本体の筐体の開口から突出する前記ノズルの突出量を増減変更して調節自在としたことを特徴とするブラッシング機能付きシャワーヘッド。
【請求項２】
更に、前記ノズルの先端の吐水面から前記ノズルの軸方向に沿って突出してブラッシング機能を発揮するブラシ部を備え、
前記ノズルは、前記吐水孔を、前記吐水面において前記ブラシ部の周囲に複数個配置したものであることを特徴とする請求項１記載のブラッシング機能付きシャワーヘッド。
【請求項３】
前記貯水部は、前記一側面に吐水面を設けると共に、前記吐水面には、前記貯水空間に導入された給水を外部に吐出する吐水孔を形成し、
前記貯水部の吐水面と前記ノズルの吐水面とを、前記シャワーヘッド本体の筐体の軸方向に沿って所定距離を置いて離間配置し、前記貯水部の吐水面の吐水孔からの吐水と、前記ノズルの吐水面の吐水孔からの吐水とが、前記シャワーヘッド本体の筐体の軸方向に沿って前記所定距離を置いた位置からそれぞれ吐出されるようにしたことを特徴とする請求項１又は２記載のブラッシング機能付きシャワーヘッド。
【請求項４】
更に、前記シャワーヘッド本体の筐体の軸方向の他側となる前記開口と反対側の位置にハンドルを設けると共に、前記ハンドルの駆動軸を前記シャワーヘッド本体の筐体の内部空間に配設された前記貯水部と作用的に連結して、前記ハンドルを操作することで、前記連結軸を介して、前記貯水部を前記シャワーヘッド本体の筐体の内部空間において前記筐体の軸方向に往復移動すると共に、前記シャワーヘッド本体の筐体の開口から突出する前記ノズルの突出量を増減変更して調節するようにした請求項１から３のいずれか１項記載のブラッシング機能付きシャワーヘッド。
【請求項５】
更に、前記シャワーヘッド本体の筐体の外部から前記筐体の内部空間の前記貯水部に接続する給水管を備え、
前記給水管は、前記水源からの給水を前記貯水部の貯水空間に導入する流路を有し、
前記シャワーヘッド本体の筐体は、前記給水管に対応する部位に前記給水管を収容する挿通口を、前記軸方向に沿って、前記貯水部が往復移動する範囲に延びるよう形成することで、前記貯水部が前記シャワーヘッド本体の筐体の軸方向に沿って往復移動するときに、前記給水管が、前記筐体の挿通口を介して、前記筐体の外部において、前記貯水部の往復移動に伴って往復移動するようにしたことを特徴とする請求項１から４のいずれか１項記載のブラッシング機能付きシャワーヘッド。
【発明の詳細な説明】
【技術分野】
【０００１】
本発明は、ブラッシング機能付きシャワーヘッドに関し、特に、犬や猫等のペットのシャンプー作業と同時にペットの体毛のブラッシング作業をも行うことができるブラッシング機能付きシャワーヘッドに関する。
【背景技術】
【０００２】
従来、犬や猫等のペット用の美容室等において、ペットの体毛をシャンプーにより洗浄する場合、通常は、ペットの体毛をシャンプーにより洗浄した後、体毛に付着したシャンプーを洗い流すべくすすぎ作業を行う。このすすぎ作業においては、作業者は、シャワーヘッドからのシャワー吐水によりペットの体毛に付着したシャンプーをすすぎながら、ペットの体毛をブラシによりブラッシングする。このとき、作業者は、片手（例えば、利き手と反対側の手）でシャワーヘッドを把持してシャワーヘッドからのシャワー吐水をペットに向けて吐出しながら、もう片方の手（例えば、利き手）にブラシを把持してそのブラシによりペットの体毛をブラッシングする。この作業中、作業者は、これらの作業を効率的に行うために、ペットが動かないよう手で押さえたり、ペットの不意の動きを手で抑制したりする必要に迫られる場合がある。しかし、上記の作業では、作業者の両方の手がシャワーヘッド及びブラシにより塞がることから、作業者が、必要に応じて、ペットが動かないよう手で押さえたり、ペットの不意の動きを手で抑制したりすることができない。したがって、この点を考慮すれば、シャワーヘッドにブラシを設けたブラシ付きシャワーヘッドを提供することが便宜である。なお、（ペット用のシャワーヘッドではなく、また、ペットの体毛や人間の毛髪用のシャワーヘッドでもなく、単に、人間の皮膚をブラシ洗浄するためのシャワーヘッドではあるが、）ブラシを備えたシャワーヘッドに関する発明としては、例えば、特許文献１に記載の発明がある。
【０００３】
特許文献１に記載のブラシを備えたシャワーヘッドは、水を流出すると同時に、ブラシによるブラシ洗浄機能をも備えている。このブラシを備えたシャワーヘッドは、駆動ユニットとブラシ体を備えている。駆動ユニットは、電力が供給されると、ブラシ体に転動作用を提供する。また、このブラシを備えたシャワーヘッドは、モーターと数個のヘリカルギア、或いはギアテーブルを備えることで、ブラシ体の転動を行う。（以上、要約参照。）なお、この構成から明らかなように、特許文献１のブラシを備えたシャワーヘッドは、ブラシ体を転動させながらそのブラシの先端を人体の皮膚に押し当てることで、皮膚のブラシ洗浄を行うものである（０００１段落、０００３段落、００１３段落参照）。
【先行技術文献】
【特許文献】
【０００４】
【特許文献１】特開２０１０−１０４７７７号公報
【発明の概要】
【発明が解決しようとする課題】
【０００５】
上記のとおり、特許文献１のブラシを備えたシャワーヘッドは、ブラシを転動する構成としているため、ペットの体毛を洗浄と同時にブラッシングしたり、人間の毛髪を洗浄と同時にブラッシングしたりすることは不可能である。また、特許文献１に記載のブラシを備えたシャワーヘッドは、人間用に考えられたものであるため、（特許文献１が全く意図しない使用法ではあるが、例えば、ブラシの転動を停止した状態でシャワーによる洗浄を行うことで）ペットの体毛の洗浄用に使用する場合でも、種々の不具合を生じる可能性がある。例えば、犬の体毛は、人間の（単一種類の髪の毛からなる）毛髪とは異なり、上毛（「オーバーコート」とも呼ばれる。）に加えて下毛（「アンダーコート」とも呼ばれる。）があり、上毛により皮膚を害虫等の外敵から守ったり、雨等の水をはじいたり、病原体の進入を防いだりする一方で、皮膚の直近に密生した柔らかい毛からなる下毛により体温を保つようにしている。また、人間の体毛は、基本的に一つの毛穴から一本の毛しか生えないが、犬の体毛の場合は、一つの毛穴から平均で７本〜１５本の毛が生えており、人の体毛と比較してかなり密集している。更に、犬種により被毛の長さがまちまちであるため、被毛の長さに合わせたシャワー作業が必要となる。なお、犬と共にペットとして人気の高い猫の体毛も、犬の体毛と同様である。
【０００６】
したがって、犬等のペットのシャンプー作業に、特許文献１のブラシを備えたシャワーヘッドのような人間用のシャワーヘッドを使用した場合、まず、シャワー吐水がブラシの根元から吐出されることから、そのシャワー吐水は、ペットの体毛の表面に吐出されることになるため、撥水性を有する上毛により体毛内部への浸透が阻止されて、下毛までシャワー吐水が行き渡らない可能性が大きい。たとえ、ブラシによりペットの上毛をブラッシングしながらシャワー吐水を吐出したとしても、やはり、従来の人間用のブラシの１本１本の毛は非常に細いため、上毛間の隙間を広げることができず、上毛間にシャワー吐水を浸透させて下毛まで（更には、下毛の根元の皮膚にまで）シャワー吐水を到達させるための十分な隙間を形成することは困難である。その結果、シャワー吐水が、ペットの体毛の下毛まで行き渡らず、下毛に付着したシャンプーの洗浄が不十分となる可能性が大きく、更に、下毛の根元にある皮膚に付着したシャンプーの洗浄が不十分となる可能性が大きい。特に、長毛種のペットの場合、下毛（アンダーコート）の厚みが大きく、下毛の先端から皮膚までの距離が大きいため、上記の問題点が更に大きくなることが予想される。
【０００７】
また、特許文献１のブラシを備えたシャワーヘッドにおけるように、人間用のブラシの毛は密集して基体又はベースに植え付けられているため、上記のとおり人間の毛髪に比較して大きく密集した状態のペットの体毛を（１本１本の毛が細く、かつ、密集している）人間用のブラシによりブラッシングすると、ブラシの毛とペットの体毛との間の摩擦抵抗により、円滑なブラッシング作業が困難になったり、ブラシの毛からの摩擦時の静電気によりペットの体毛が損傷したりする可能性がある。具体的には、特許文献１のブラシを備えたシャワーヘッドでは、ブラシ体は、外側面にブラシを備え、中央には出水口を備える構成であるが（００１２段落）、そのブラシは、通常の人間用の円形ブラシ（又は、丸ブラシ）と同様の構成であり、多数本の毛を円環状の基体又はベースに植え付けたものであるため、ブラシの１本１本の毛が細く、かつ、ブラシの毛の間の隙間が非常に小さくなっており、人間の皮膚をマッサージするには適しているが、ペットの体毛をブラッシングすることは困難である（また、人間の毛髪をブラッシングすることも容易でないと考えられるし、また、特許文献１の発明は、そのような使用法を全く想定していない。）
【０００８】
その結果、特許文献１のブラシを備えたシャワーヘッドのような人間用のシャワーヘッドを使用した場合、ペットのシャンプー後のシャワー作業又はすすぎ作業（即ち、体毛に付着したシャンプーの洗い流し作業）が困難となり、体毛に付着したシャンプーの洗い流しが不十分となり可能性がある。また、犬のシャンプー作業に人間用のシャワーヘッドを使用した場合、シャンプーの洗い流しが十分にできたとしても、洗い流しが長時間にわたる可能性がある。ここで、犬や猫は、一般に表皮の厚みが人間の皮膚よりも小さく、その皮膚が人間の皮膚より弱いため、シャンプー（シャンプーに含まれる界面活性剤）の洗い流しが不十分であれば、皮膚疾患の危険性が高まる可能性がある。例えば、犬用シャンプーには、表皮への影響を考慮して、天然素材の界面活性材が使用されているが、犬用シャンプーは、人用シャンプーに比較して高価となることから、犬のシャンプー作業に人用の（合成界面活性剤からなる）シャンプーを使用することも考えられる。しかし、犬の皮膚（及び体毛）は、ｐＨ７．０以上の中性から弱アルカリ性である一方、人間の皮膚はｐＨ４．５〜６．５の弱酸性であり、人用シャンプーは、かかる弱酸性の皮膚を前提としていることから、このような人用シャンプーを犬用のシャンプーとして使用すると、犬の皮膚に対して過度な刺激を与え、皮膚疾患を生じる可能性もある。したがって、犬や猫等のペットのシャンプー作業に人用のシャンプーを使用する場合、体毛に付着したシャンプーを短時間で洗い流す必要があるが、上記のとおり、特許文献１のブラシを備えたシャワーヘッドのような人間用のシャワーヘッドを使用した場合、そのような短時間での洗い流し作業が困難となる。
【０００９】
そこで、本発明は、ペットのシャンプー作業でペットの種類に応じた最適なシャワー作業及びブラッシング作業を行うことができ、かつ、シャンプーの洗い流し効率を大幅に向上してシャンプーの洗い流し時間を短縮することができ、結果的に、洗い流しに要する水量を減らすことができると共に、シャワー作業及び洗い流し作業の間に生じるペットのストレスを減らすことができ、シャンプー（特に、シャンプーに含まれている界面活性剤）の洗い流し不足をなくすことで、ペットの皮膚炎等の発生を確実に防止することができるブラッシング機能付きシャワーヘッドの提供を課題とする。
【課題を解決するための手段】
【００１０】
本発明に係るブラッシング機能付きシャワーヘッドは、シャワーヘッド本体と貯水部とを備える。シャワーヘッド本体は、軸方向一側に開口を形成した中空の筐体を有する。貯水部は、前記シャワーヘッド本体の筐体の内部空間に収容して配設されると共に、水源からの給水を導入する貯水空間を有する。前記貯水部は、前記シャワーヘッド本体の筐体の内部空間において前記軸方向に往復移動自在となるよう配設されると共に、前記シャワーヘッド本体の内部空間において前記軸方向の所定位置に配置自在となっている。また、前記貯水部は、前記シャワーヘッド本体の筐体の開口に面する側面となる一側面を、前記シャワーヘッド本体の筐体の開口を介して前記シャワーヘッド本体の外部に露出している。更に、前記貯水部は、その一側面に、前記シャワーヘッド本体の筐体の軸方向に沿って延びるよう突出する筒状をなすと共に、前記貯水部の貯水空間と連通する通水空間を有するノズルを一体的に設けている。前記貯水部は、前記ノズルの先端に吐水面を設けると共に、前記吐水面には、前記貯水部の貯水空間から前記通水空間に導入した給水を外部に吐出する吐水孔を形成している。前記ノズルを前記貯水部と共に前記シャワーヘッド本体の筐体の軸方向に沿って往復移動することで、前記シャワーヘッド本体の筐体の開口から突出する前記ノズルの突出量を増減変更して調節自在としている。ノズル自体も比較的小さな径の筒状（円筒状）をなすため、（マッサージ機能は発揮しないが）ブラッシング機能をある程度発揮することができる。
【発明の効果】
【００１１】
本発明に係るブラッシング機能付きシャワーヘッドは、ペットのシャンプー作業でペットの種類に応じた最適なシャワー作業及びブラッシング作業を行うことができ、かつ、シャンプーの洗い流し効率を大幅に向上してシャンプーの洗い流し時間を短縮することができ、結果的に、洗い流しに要する水量を減らすことができると共に、シャワー作業及び洗い流し作業の間に生じるペットのストレスを減らすことができ、シャンプー（特に、シャンプーに含まれている界面活性剤）の洗い流し不足をなくすことで、ペットの皮膚炎等の発生を確実に防止することができる。
【図面の簡単な説明】
【００１２】
【図１】図１は本発明の一実施の形態に係るブラッシング機能付きシャワーヘッドを示す正面図である。
【図２】図２は本発明の一実施の形態に係るブラッシング機能付きシャワーヘッドを示す背面図である。
【図３】図３は本発明の一実施の形態に係るブラッシング機能付きシャワーヘッドを示す左側面図である。
【図４】図４は本発明の一実施の形態に係るブラッシング機能付きシャワーヘッドを示す平面図である。
【図５】図５は本発明の一実施の形態に係るブラッシング機能付きシャワーヘッドを示す底面図であり、一部構成を拡大して示す。
【図６】図６は本発明の一実施の形態に係るブラッシング機能付きシャワーヘッドを示し、（ａ）は図４のＡ−Ａ線断面図であり、（ｂ）は（ａ）のＤ−Ｄ線断面図であり、（ｃ）は（ａ）のＥ−Ｅ線断面図である。
【図７】図７は図４のＢ−Ｂ線断面図である。
【図８】図８は本発明の一実施の形態に係るブラッシング機能付きシャワーヘッドの伸縮状態を示す断面図であり、（ａ）は伸ばした状態を示し、（ｂ）は縮めた状態を示す。
【図９】図９は本発明の一実施の形態に係るブラッシング機能付きシャワーヘッドを示す断面図であり、一部構成を拡大して示す。
【図１０】図１０は本発明の一実施の形態に係るブラッシング機能付きシャワーヘッドのブラシ部の伸縮状態を示す断面図であり、（ａ）は伸ばした状態を示し、（ｂ）は縮めた状態を示す。
【図１１】図１１は本発明の一実施の形態に係るブラッシング機能付きシャワーヘッドを示す分解図である。
【図１２】図１２は本発明の一実施の形態に係るブラッシング機能付きシャワーヘッドのシャワーキャップ本体を示す分解図である。
【図１３】図１３は図４のＣ−Ｃ線部分断面図である。
【図１４】図１４は本発明の一実施の形態に係るブラッシング機能付きシャワーヘッドの使用状態を示す側面図であり、（ａ）はブラシ部を伸ばした状態を示し、（ｂ）はブラシ部を縮めた状態を示す。
【発明を実施するための形態】
【００１３】
以下、本発明を実施するための一実施の形態（以下、本実施の形態という）のブラッシング機能付きシャワーヘッドについて説明する。なお、本実施の形態の説明及び別例又は変更例の説明を通じ、同一の部材、要素または部分には同一の符号を付して、その説明を省略する。
【００１４】
［全体構成］
まず、本実施の形態のブラッシング機能付きシャワーヘッドの全体構成について概略的に説明すると、ブラッシング機能付きシャワーヘッドは、図１〜図５に示すように、本実施の形態のブラッシング機能付きシャワーヘッドは、その構成部品又は構成要素として、シャワーヘッド本体１００と、固定キャップ１１０と、シャワーキャップ本体２００と、スピンドル本体２３０と、ハンドル３００とを備えている。シャワーキャップ本体２００は、シャワーヘッド本体１００に組み付けられて、シャワーヘッド本体１００との間でシャワー吐水用の貯水空間を形成する。また、シャワーキャップ本体２００は、複数本のノズル２１０と給水管２２０とを一体的に設けた構成であり、ノズル２１０をシャワーヘッド本体１００から出没自在とすると共に、給水管２２０をシャワーホースの先端（下流側）の接続口に接続自在としている。更に、スピンドル本体２３０は、スピンドル２４０を一体的に設けている。そして、スピンドル２４０をシャワーヘッド本体１００に内装した状態で、スピンドル２４０をハンドル３００の回動操作により上下動して、ノズル２１０を上下動するようになっている。以下、各構成要素について詳細に説明する。なお、以下の説明において、各部材や各部分等の寸法や配置や姿勢を特定するために、相対的な用語として、「上下方向」、「左右方向」、及び、「前後方向」という用語を使用することがあるが、このうち、「上下方向」とは、本実施の形態のブラッシング機能付きシャワーヘッドを通常状態で（即ち、その吐水面が下方となるように）水平面に載置した水平状態における上下方向（即ち、図１〜図３の上下方向）を、「左右方向」とは、その水平状態での正面視又は背面視における左右方向（即ち、図１又は図２の左右方向）を、「前後方向」とは、その水平状態での正面視において紙面の表面側から裏面側に向かう方向（側面視における左右方向であって、図３の側面視の場合は、その右側が「前」、その左側が「後」）をそれぞれ意味する。また、「上下」、「上方」、「下方」、「左右」、「左方」、「右方」、「前後」、「前方」、「後方」等、上、下、左、右、前、後の各語を含む用語についても同様の意味で使用している。更に、「高さ」という用語も、上記「上下方向」の場合と同様の前記水平状態における「高さ」を意味するものとして使用する。更に、「水」という用語は、通常の「冷水」以外に「温水」も含む意味で使用し、また、水道水等の「原水」のほか、原水を浄化してなる「浄水」も含む意味で使用する。
【００１５】
［シャワーヘッド本体］
シャワーヘッド本体１００は、図１１に示すように、筐体部１０１，１０２、連結部１０３、凹溝部１０４、及び、上側突部１０５を一体的に備えている。筐体部１０１，１０２は、ハウジング又はケーシングとして機能する部材であり、図１〜図４に示すように、円筒状の周壁１０１の上端を円板状の上壁１０２により閉塞すると共に、周壁１０１の下端を円形に開口した所定直径（所定内外径）の（上端を閉塞した）円筒状をなしている。連結部１０３は、上下両端を円形に開口した所定直径の円筒状をなし、筐体部１０１，１０２の上壁１０２の中央部に、上方に直交して延びるよう、かつ、筐体部１０１，１０２の軸心と同軸となるよう、一体形成されている。凹溝部１０４は、連結部１０３の上下方向中央部を、一定幅で一定深さだけ、その全周にわたって薄肉とすることで形成されたリング状部分である。即ち、凹溝部１０４は、連結部１０３の上下方向中央部の全周に沿って、前記一定幅で一定深さの凹溝を形成して延びる部分である。また、凹溝部１０４の周方向の所定角度位置には、相互に所定角度間隔をおいて複数個の係止孔１０４ａが、凹溝部１０４を厚さ方向に貫通して形成されている。これにより、連結部１０３は、凹溝部１０４における係止孔１０４ａの位置で、内外の空間を連通しており、詳細な構成は後述するが、この係止孔１０４ａを介して、ハンドル３００をシャワーヘッド本体１００の連結部１０２に回動自在かつ軸方向への移動不能に固定するようになっている。
【００１６】
＜上側突部＞
上側突部１０５は、筐体部１０１，１０２の周壁１０１の下端部に、一定角度間隔を置いて複数個（図示の例では、９０度間隔を置いて合計４個）形成されている。各上側突部１０５は、筐体部１０１，１０２の周壁１０１の外周面から放射方向（半径方向）の外方に所定の突出長だけ突出するよう一体形成されている。また、上側突部１０５は、図４に示すように、長円を対角線方向に切断することにより、長円の一方の直線部分（一方の辺）と一方の半円部分とからなる半長円形状（以下、「対角切断半長円形状」ということがある。）の平面形状を有している。更に、合計４個の上側突部１０５は、円筒状をなす筐体部１０１，１０２の周壁１０１の直径方向の一側（図４の上側）及び他側（図４の下側）に、それぞれ、２個ずつ配置される。このとき、上側の２個の上側突部１０５は、前記対角切断半長円形状の直線部分が、それらの上側において一直線上に並ぶよう、前記周壁１０１の直径方向の一側において左右に配置されている。同様に、下側の２個の上側突部１０５は、前記対角切断半長円形状の直線部分が、それらの下側において一直線上に並ぶよう、前記周壁１０１の直径方向の一側において左右に配置されている。これにより、上側の２個の上側突部１０５と下側の２個の上側突部１０５とは、前記対角切断半長円形状の直線部分が、筐体１０１，１０２の周壁１０１の直径方向において互いに平行となり、かつ、互いに対向している。なお、図示はしないが、各上側突部１０５の中央には、締結手段としての（タッピングビス等の）雄螺子１２１の雄螺子部の先端側をねじ込むための（挿通孔又は雌螺子孔からなる）ビス孔が上下方向に延びるよう形成されている。
【００１７】
＜筐体の挿通口＞
一方、図６（ａ）に示すように、筐体１０１，１０２の周壁１０１において、前記上側の２個の上側突部１０５の間の部分には、前記給水管２２０の先端部を挿通すると共に、周壁１０１の上下方向に給水管２２０を移動案内するための挿通口１０１ａが貫通形成されている。周壁１０１の挿通口１０１ａは、図６（ａ）に示す半長円形状をなし、前記上側の２個の上側突部１０５の部分の中央部を占める所定幅を有すると共に、筐体１０１，１０２の軸心に沿って周壁１０１の下端から上端（即ち、頂壁１０２との境界位置）まで上方に延びる高さ（上下方向寸法）を有している。後段で詳細に説明するが、周壁１０１の前記半長円形状をなす挿通口１０１ａの上側の半円部分の直径（及び、下側の矩形部分の幅寸法）は、前記給水管２２０の（前記外周壁２０１との接続部分となる）給水部２２１の外径と同一に設定され、シャワーヘッド本体１００の内部空間にシャワーキャップ本体２００の対応部分を収容したときに、給水部２２１が、挿通口１０１ａに沿って上下方向に往復移動自在となるようにしている。なお、シャワーヘッド本体１００は、例えば、ＡＢＳ樹脂等の所定の汎用合成樹脂材料（或いは、エンジニアリングプラスチック等の合成樹脂材料）を使用して、所定の成形方法（例えば、射出成形法）により、上記構成となるように形成することができる。少なくとも、シャワーヘッド本体１００は、所定の剛性を維持して外力に対して容易に湾曲又は変形等しないような材料により形成される。
【００１８】
［固定キャップ］
固定キャップ１１０は、図１〜図３、図５、図１１及び図１２に示すように、筐体１０１，１０２の周壁１０１の下端の円形開口に固着されて、前記シャワーキャップ本体２００のノズル２１０が、前記筐体１０１，１０２の周壁１０１の下端よりも下方へ移動することを規制又は阻止する部材である。固定キャップ１１０は、リング板部１１１及び下側突部１１２を備えている。リング板部１１１は、前記周壁１０１の下端の円形開口のうち、前記挿通口１０１ａが設けられる角度部分を除く所定角度部分の周縁に沿って円周方向に延びる円弧板状又は略馬蹄形板状をなしている。また、リング板部１１１は、図５に示すように、所定幅の前記円弧板状をなし、その外周縁は、周壁１０１の下端面の外周縁に一致すると共に、その内周縁は、図６（ａ）に示すように、周壁１０１の下端面の内周縁から内方に（前記所定幅に対応する）所定距離だけ突出している。更に、リング板部１１１の周方向両端となる開放端間には、周壁１０１の挿通口１０１ａに対応する角度部分だけ切り欠かれた所定幅の間隙１１１ａが設けられている。一方、下側突部１１２は、リング板部１１１の外周面において、前記周壁１０１の上側突部１０５と同一の一定角度間隔を置いて上側突部１０５と同一の複数個（図示の例では、９０度間隔を置いて合計４個）形成されている。また、下側突部１１２は、リング板部１１１を周壁１０１の下端に取り付けたときに、周壁１０１の上側突部１０５と同一の角度位置に配置され、かつ、上側突部１０５と同一の平面形状（即ち、前記対角切断半長円形状）を有している。なお、図示はしないが、各下側突部１０５の中央には、上側突部１０５の孔と整合する位置に、雄螺子１２１の雄螺子部の基端側を挿通するための挿通孔が上下方向に延びるよう貫通形成されている。
【００１９】
そして、周壁１０１の下端にリング板部１１１を取り付けたときに、上側突部１０５の下面と下側突部１１２の上面とが完全に整合して密接し、かつ、上側突部１０５のビス孔と下側突部１１２の挿通孔とが整合するようになっている。これにより、周壁１０１の下端にリング板部１１１を取り付けたときに、合計４対の上側突部１０５及び下側突部１１２が、周壁１０１の直径方向の一側（図４の上側）及び他側（図４の下側）に、それぞれ、２対ずつ配置され、上側の２対及び下側の２対のそれぞれの前記対角切断半長円形状の直線部分が、周壁１０１の直径方向において互いに平行となり、かつ、互いに対向するようになっている。そして、この状態で、雄螺子１２１の雄螺子部を各対の下側突部１１２の挿通孔に挿通して上側突部１０５のビス孔に螺入することで、周壁１０１の下端にリング板部１１１を介して固定キャップ１１０を固着するようになっている。なお、固定キャップ１１０は、例えば、所定の合成樹脂材料（好ましくは、ＰＯＭ（ポリアセタール）樹脂等のエンジニアリングプラスチック）を使用して、所定の成形方法（例えば、射出成形法）により、上記構成となるように形成することができる。少なくとも、固定キャップ１１０は、所定の剛性を維持して外力に対して容易に湾曲又は変形等しないような材料により形成される。
【００２０】
［シャワーキャップ本体］
シャワーキャップ本体２００は、図５、図１１及び図１２に示すように、シャワーヘッド本体１００の筐体１０１，１０２の内部空間に収容されて、（スピンドル本体２３０の駆動によって）筐体１０１，１０２の内部空間を上下動する部材又は部分である。シャワーキャップ本体２００は、図２及び図５に示すように、前記ノズル２１０を一体的に備えると共に、前記給水管２２０と一体形成され、シャワーヘッド本体１００の筐体１０１，１０２の内部空間をノズル２１０及び給水管２２０と一体的に上下方向に移動自在となっている。なお、この一体構造については後段でも説明する。詳細には、シャワーキャップ本体２００は、図１１に示すように、外周壁２０１、散水板２０２、及び、内周壁２０３を一体形成してなる有底短二重円筒状の構成である。より詳細には、散水板２０２は、所定直径の円板状をなし、その外周縁の全周に沿って一定高さ寸法の短円筒状をなす外周壁２０１を（直交状態で）立設すると共に、外周壁２０１の半径方向内側に所定間隔を置いて、内周壁２０３を（直交状態で）立設している。即ち、外周壁２０１及び内周壁２０３により、散水板２０２の上面側において二重円筒状の構造が形成されている。また、散水板２０２の直径（及び、外周壁２０１の外径）は、周壁１０１の内径と略同一径（正確には、外周壁２０１の外周面が周壁１０１の内周面に沿って摺動自在となるよう若干小さい径）に設定されている。なお、散水板２０２は、外周壁２０１及び内周壁２０３の下端側を閉塞している。
【００２１】
また、後段でも説明するが、外周壁２０１及び内周壁２０３の上端には、前記スピンドル本体２３０の基板２３１及び嵌合部２３２が載置して固定され、内周壁２０３との間で水密状態を維持するよう一体化されて、外周壁２０１及び内周壁２０３の上端側を閉塞及び遮蔽するようになっている。これにより、図７及び図１０に示すように、内周壁２０３及び散水板２０２と基板２３１及び嵌合部２３２とにより囲まれる空間によって、前記給水管２２０からのシャワー用の原水又は浄水（以下、「シャワー水」ということがある。）を貯留して通水し、散水板２０２からシャワー吐水として吐出するための空間ＷＳ（以下、単に「貯水空間ＷＳ」という。）が形成されている。また、散水板２０２は、図５及び図８に示すように、その中心寄りの所定半径の（前記内周壁２０３よりも中心寄りとなる）仮想円に沿って、所定間隔で複数個（図の例では、１５度の等間隔で２４個）の小円形孔からなる散水孔２０２ａを貫通形成している。散水板２０２の散水孔２０２ａは、前記給水管２２０から貯水空間ＷＳに所定の水圧で供給されたシャワー水を吐出するものである。なお、前記内周壁２０３及び散水板２０２並びに基板２３１及び嵌合部２３２により、本実施の形態の貯水空間ＷＳを形成する貯水部が構成されている。なお、前記固定キャップ１１０のリング板部１０１の内径は、外周壁２０１の外径より所定寸法だけ小さい径（例えば、図６に示すように、外周壁２０１と内周壁２０３との間の径）に設定され、筐体１０１，１０２の内部空間に前記シャワーキャップ本体２００の外周壁２０１等を収容して、周壁１０１の下端に固定キャップ１１０を固着したときに、散水板２０２の下面がリング板部１１１の上面に当接して、その位置（以下、「下限位置」ということがある。）を越えて下動することを規制されるようになっている。
【００２２】
＜ノズル＞
前記ノズル２１０は、散水板２０２の散水孔２０２ａよりも外周側となる（かつ、前記内周壁２０３よりも中心寄りとなる）所定半径の仮想円に沿って（及び、散水板２０２の外周縁に沿って）、所定間隔で複数個（図の例では、３６度の等間隔で１０個）、散水板２０２から突出するよう一体的に設けられている。詳細には、各ノズル２１０は、散水板２０２から直交して下方に（即ち、シャワーキャップ本体２００の軸心と平行となるように）直線的に突出する有底円筒状をなす。また、ノズル２１０は、図６〜図１３に示すように、散水板２０２の下面から下方に所定距離だけ突出している。更に、各ノズル２１０は、図５に示すように、周壁２１１の先端（図中の下端）に底壁２１２を一体形成してなる有底円筒状の構成である。ノズル２１０の周壁２１１の上端の円形開口は、散水板２０２から前記シャワーキャップ本体２００の貯水空間ＷＳに向かって開放しており、ノズル２１０の上端の円形開口を介して、ノズル２１０の内部空間が、前記シャワーキャップ本体２００の貯水空間ＷＳと連通している。また、ノズル２１０の底部側（図１１の下端側）の円形開口は、底壁２１２により閉塞されている。底壁２１２は、周壁２１１の底部側の円形開口と同一の円形の外形を有する（前記周壁２１１と同径の）小径の円盤状をなしている。これにより、図８及び図９に示すように、周壁２１１と底壁２１２とにより囲まれる空間によって、ノズル２１０からのシャワー吐水用の通水空間ＰＳが形成されている。
【００２３】
一方、シャワーキャップ本体２００の散水板２０２におけるノズル２１０の位置について説明すると、シャワーヘッド本体１００の周壁１０１の下端の円形開口からその内部空間にシャワーキャップ本体２００の外周壁２０１等を収容し、周壁１０１の下端に前記固定キャップ１１０を固着したときに、ノズル２１０は、その全体が、リング板部１１１の内周縁よりも所定距離だけ内方となる位置（例えば、図６及び図７に示すような所定間隔の間隙を置いた位置であって、内周壁２０３よりも中心側の位置）に配置されており、ノズル２１０が固定キャップ１１０と干渉しないようになっている。また、ノズル２１０の底壁２１２は、図５に示すように、その中心から所定半径の仮想円に沿って、所定間隔で複数個（図の例では、９０度の等間隔で４個）の小円形孔からなる噴射孔２１２ａを貫通形成している。ノズル２１０の底壁２１２の噴射孔２１２ａは、前記給水管２２０から貯水空間ＷＳに所定の水圧で供給されたシャワー水を、ノズル２１０の周壁の上端の円形開口から通水空間ＰＳ内に案内し、そのシャワー水を底壁２１２から噴出するものである。
【００２４】
更に、ノズル２１０の底壁２１２の中心には、所定直径の円形孔からなる挿通孔２１２ｂが貫通形成されている。後段で詳細に説明するが、底壁２１２の挿通孔２１２ｂには、前記スピンドル本体２３０のブラシ部２３７が挿通されるようになっている。なお、底壁２１２の噴射孔２１２ａの直径は、基本的には、散水板２０２の散水孔２０２ａの直径と同様の径（例えば、１ｍｍ程度の径）に設定され、底壁２１２の挿通孔２１２ｂの直径は、噴射孔２１２ａの直径より大きな径（例えば、２〜４倍程度の径）に設定されているが、これらの径を異なる径に設定することもできる。特に、ノズル２１０の噴射孔２１２ａの直径は、用途や使用態様（例えば、シャワー吐水の噴射対象となるペット等の種類）に応じて、ノズル２１０から所望の吐水噴射量を得ることができるような直径に設定すれば、任意の直径にとすることができる。また、ブラシ部２３７の直径は、用途や使用態様（例えば、ブラッシング対象となるペット等の体毛や皮膚の種類）に応じて、適切なブラッシング態様を得ることができるような直径に設定されるため、ノズル２１０の挿通孔２１２ｂの直径も、ブラシ部２３７の直径に応じて同様の任意の直径とすることができる。
【００２５】
＜シャワーキャップ本体の寸法関係＞
シャワーキャップ本体２００は、図５及び図６に示すように、その外周壁２０１により囲まれる部分が、シャワーヘッド本体１００の周壁１０１の下端の円形開口から内部に収容されて、外周壁２０１の外周面を周壁１０１の内周面に摺接させながら、筐体１０１，１０２の内部空間をシャワーヘッド本体１００の軸心に沿って上下方向に往復移動自在である。即ち、外周壁２０１の外径は、周壁１０１の内径と略同一径となるよう（正確には、上記往復移動を可能にする程度の若干の微小間隔を周壁１０１との間に置くよう、当該微小間隔だけ小径となるよう）設定されている。また、シャワーキャップ本体２００を装着したシャワーヘッド本体１００の外形寸法（即ち、ブラッシング機能付きシャワーヘッドのヘッド部分の外形寸法）は、例えば、通常のペット用のシャワーヘッドと同様の外形寸法となるよう設定することができ、また、通常の作業者が片手で把持できる程度の外形寸法となるよう設定することができる。
【００２６】
一方、シャワーキャップ本体２００において、ノズル２１０の散水板２０２からの突出寸法は、所定の長さ寸法に設定されている。詳細には、シャワーキャップ本体２００の貯水部２０３，２０２，２３１，２３２をシャワーヘッド本体１００に対して軸方向への往復移動自在に装着すると共に、シャワーヘッド本体１００に固定キャップを固定したときに、ノズル２１０の先端が、その最大突出位置で、固定キャップ１１０から（後述する用途又は所要機能に応じた）所定の長さ寸法だけ突出するよう、ノズル２１０の散水板２０２からの突出寸法が設定されている。このノズル２１０の所定長さ寸法（及び、散水板２０２からの最大突出寸法）は、例えば、本実施の形態のブラッシング機能付きシャワーヘッドをペット用のシャワーヘッドとして使用する場合を想定して、洗浄及びブラッシング対象となるペットの体毛の種類に応じて設定される（例えば、ペットの種類によって決定される体毛の長さに応じて設定される）。即ち、本実施の形態のブラッシング機能付きシャワーヘッドは、基本的に、ペットの体毛（又は、体毛及び表皮の両方）をブラッシングしながらシャワー洗浄する用途に適した構成となっており、また、人間の毛髪又は毛髪及び頭皮の両方をブラッシングしながらシャワー洗浄する用途に使用することも可能である。よって、これらブラッシング対象となるペットの体毛（或いは、人間の毛髪等）（以下、「ブラッシング対象」という。）の特に長さに応じて、ノズル２１０の長さ寸法が設定される。具体的には、長毛種のペットのシャワー洗浄作業を行うことができるよう、長毛種のペットの体毛の長さに応じた距離（例えば、体毛表面にある上毛の先端位置から下毛の中間程度の深さ位置までの距離、或いは、体毛表面にある上毛の先端位置から下毛の根元付近の深さ位置までの距離、或いは、それらの中間の距離）に相当する長さ寸法となるよう、ノズル２１０の長さ寸法を設定する。
【００２７】
ここで、ノズル２１０は、ペットの体毛等のブラッシング作業におけるブラシの１本１本の毛（又は、１群の毛）に相当する機能を発揮するブラシ相当物である一方で、可撓性を有してブラッシング作業時にブラッシング対象から加えられる外力等によって容易に屈曲または湾曲する従来のブラシの毛とは異なり、ブラッシング作業時にブラッシング対象から加えられる外力等に抗して本来の円筒形状を自己保持する所定の剛性を有している。また、ノズル２１０の直径は、ブラッシング対象であるペット等の体毛の種類（例えば、体毛の密集度合、特に、より密集状態となる下毛の密集度合）に応じて、そのブラッシング対象となる体毛の毛の間に容易に挿入でき、かつ、その体毛を円滑にブラッシングできるような寸法に設定されている。
【００２８】
一方、上記のとおり、外周壁２０１の上端にスピンドル本体２３０の基板２３１を固着した状態で、外周壁２０１の高さ寸法（軸方向寸法）及び（その上端に固着した）基板２３１の厚み寸法を合わせた合計高さ寸法（即ち、前記貯水部２０３，２０２，２３１，２３２の高さ寸法又は軸方向寸法）と、シャワーヘッド本体１００の筐体１０１，１０２の内部空間の高さ寸法（軸方向寸法）と、前記ノズル２１０の長さ寸法とは、それぞれ、相互の寸法に基づいて設定されている。即ち、シャワーヘッド本体１００の筐体１０１，１０２の内部空間の高さ寸法（軸方向寸法）は、貯水部２０３，２０２，２３１，２３２の高さ寸法とノズル２１０の長さ寸法とに基づき、それら貯水部２０３，２０２，２３１，２３２の高さ全体とノズル２１０の高さ全体とを内部に完全に収容できる高さ寸法となるように設定され、この限りにおいて、任意の高さ寸法とすることができる。また、貯水部２０３，２０２，２３１，２３２の寸法は、貯水空間ＷＳを流動して通過する水を散水板２０２の散水孔２０２ａ及びノズル２１０の噴射孔２１２ａから所定のシャワー吐水態様で散水及び噴射できるよう、貯水空間ＷＳを所定の容積及び所定の高さ寸法（及び、貯水空間ＷＳの断面積に対する所定の高さ比率）に設定されており、この限りにおいて、任意の容積及び高さ寸法（及び高さ比率）とすることができる。一方、ノズル２１０の長さ寸法は、上記のとおり、用途や使用態様（特に、ブラッシング対象となるペット等の体毛の長さやダブルコート構造等）に応じて設定されるため、上記３者（筐体１０１，１０２、貯水部２０３，２０２，２３１，２３２、及び、ノズル２１０）の寸法は、基本的に、ノズル２１０を中心にして設定することが好ましい。なお、前記貯水部２０３，２０２，２３１，２３２の高さ寸法は、例えば、筐体１０１，１０２の高さ寸法の１／２〜１／３以下の範囲内の寸法（又は、３０〜５０％程度の範囲内の寸法）に設定することができる（図示の例では、４０％程度の寸法に設定されている）。
【００２９】
［給水管］
給水管２２０は、図５に示すように、給水部２２１、摺動部２２２、導水部２２３、及び、接続部２２４を同軸状に一体形成した部材又は部分であり、前記シャワーキャップ本体２００の外周壁２０１及び散水板２０２に一体化されている。詳細には、給水部２２１は、（周壁１０１の挿通口１０１ａと同一角度範囲を占める）固定キャップ１１０のリング板部１１１の間隙１１１ａの幅寸法（及び前記周壁１０１の挿通口１０１ａの幅寸法）と同一の左右寸法を有すると共に（図５参照）、後端から前端に向かって（即ち、図３及び図７の左端から右端に向かって）下側部分を上方に湾曲変形するように延びる（即ち、先端に向かって上下寸法を左右寸法より徐々に小さくした）変形短円筒状をなしている。また、給水部２２１は、前記間隙１１１ａ及び挿通口１０１ａを埋めるように、リング板部１１１及び周壁１０１を通過して配設されている。更に、図７及び図１０に示すように、給水部２２１の先端は、外周壁２０１及び散水板２０２の外周に一体的に接続されている。また、給水部２２１の上側部分は段差状に形成され、断面矩形状の係合凹部２２１ａとなっている。更に、給水部２２１の内部流路２２１ｂは、前記貯水部２０３，２０２，２３１，２３２の貯水空間ＷＳに連通しており、これにより、後述する導水部２２３及び接続部２２４の内部流路を介して、接続口２２４ａに接続したシャワーホースの内部流路を貯水空間ＷＳに連通するようにしている。なお、周壁１０１の前記半長円形状をなす挿通口１０１ａの上側の半円部分の直径（及び、下側の矩形部分の幅寸法）は、（シャワーキャップ本体２００において給水管２２０の外周壁２０１との接続部分となる）給水部２２１の外径と同一に設定され、シャワーヘッド本体１００の内部空間にシャワーキャップ本体２００の対応部分を収容したときに、給水部２２１が、周壁１０１の挿通口１０１ａに沿って上下方向に往復移動自在となるようにしている。このとき、給水部２２１の上限位置では、給水部２２１の外周面の上側半部の半円部分が挿通口１０１ａの半円部分に当接して、それ以上の上動を規制されるようになっている。
【００３０】
＜摺動部＞
摺動部２２２は、図２に示すように、（シャワーヘッド本体１００に対してシャワーキャップ本体２００を最下位置とした状態で）周壁１０１の下端から頂壁１０２の上端（上面）まで延びる高さ寸法の略矩形板状をなしている。即ち、摺動部２２２は、シャワーヘッド本体１００の周壁１０１の外周面の挿通口１０１ａの高さ寸法より所定寸法だけ（即ち、前記頂壁１０２の厚み分だけ）大きい高さ寸法の略矩形板状をなしている。また、摺動部２２２は、給水部２２１の基端外周面の上下方向中央位置よりも若干下側の位置から上方に（給水部２２１の軸心と）直交して突出するよう一体形成されている。更に、摺動部２２２は、（シャワーヘッド本体１００に対してシャワーキャップ本体２００を最下位置とした状態で）周壁１０１の挿通口１０１ａの全体を覆うと共に、挿通口１０１ａの周縁部の一定面積を覆うよう、上下方向及び左右方向に延び、図４に示すように、周壁１０１の外周面と同一の曲率で左右方向（自らの幅方向）に湾曲する湾曲状の略矩形板状をなしている。
【００３１】
＜導水部と接続部＞
導水部２２３は、図５に示すように、固定キャップ１１０のリング板部１１１の間隙１１１ａの幅寸法（及び前記周壁１０１の挿通口１０１ａの幅寸法）と同一直径の円筒状をなし、給水部２２１の後端から後方に向かって延びるよう一体形成されている。接続部２２４は、導水部２２３より若干小径の短円筒状をなし、導水部２２３の後端から後方に向かって延びるよう一体形成されている。接続部２２４は、（図示しない）シャワーホースの先端のアダプターを接続自在であり、図２に示すように、その基端（後端）の円形開口により（シャワーホースの内部の給水空間と連通する）接続口２２４ａを形成している。なお、接続部２２４の内部流路、並びに、導水部２２３及び給水部２２１の内部流路は、接続口２２４ａに連通しており、接続部２２４をシャワーホースに接続したときに、接続部２２４、導水部２２３及び給水部２２１を介して、シャワーホースからの水がシャワーキャップ本体２００の貯水部２０３，２０２，２３１，２３２に供給されるようになっている。また、図４及び図５に示すように、接続部２２４の基端（前端）には、全周に沿って延びる凹溝２２４ｂが形成されている。接続部２２４の凹溝２２４ｂには、図３及び図７に示すように、Ｏリング２２５が装着される。なお、シャワーキャップ本体２００は、例えば、ＡＢＳ樹脂等の所定の汎用合成樹脂材料（或いは、エンジニアリングプラスチック等の合成樹脂材料）を使用して、所定の成形方法（例えば、射出成形法）により、上記構成となるように形成することができる。少なくとも、シャワーキャップ本体２００は、所定の剛性を維持して外力に対して容易に湾曲又は変形等しないような材料により形成される。
【００３２】
［スピンドル本体］
スピンドル本体２３０は、図６〜図１３に示すように、前記シャワーキャップ本体２００の外周壁２０１の上端に固着されてシャワーヘッド本体１００の筐体１０１，１０２の内部に収容され、（その説明については後段で詳述するが）前記ハンドル３００に作用的に接続又は駆動連結されて、筐体１０１，１０２の内部空間においてシャワーキャップ本体２００を上下方向に往復移動する部材又は部分である。詳細には、スピンドル本体２３０は、基板２３１、嵌合部２３２、シール２３３、連結軸２３４、基部２３５、係止部２３６、ブラシ部２３７、及び、リング状のシール部２３８を一体的に備えている。基板２３１は、シャワーキャップ本体２００の外周壁２０１の外径と同一直径で外周壁２０１の外周縁（及び、散水板２０２）と同一形状の円板状をなしている。また、嵌合部２３２は、基板２３１の外周縁から所定距離を置いた位置（即ち、前記外周壁２０１の外周面の位置から内周壁２０３の内周面の位置までの間隔と等しい距離を置いた位置）の下面に、下方に直交して突出するよう一体形成されている。また、嵌合部２３２は、図６〜図１０及び図１２に示すように、前記内周壁２０３の内径と同一の外径を有する短円筒状に形成されている。更に、嵌合部２３２の外周面の上下方向（軸方向）中央位置には、環状の弾性体からなるシール材２３３が装着されている。そして、基板２３１を外周壁２０１の上端側に整合し、嵌合部２３２を内周壁２０３に嵌合していくと、嵌合部２３２の外周面が内周壁２０３の内周面に密接して嵌合状態となる（即ち、密嵌状態となる）と共に、シール材２３３が内周壁２０３の内周面の対応する位置に弾接して、内周壁２０３と嵌合部２３２との間の水密を維持するようになっている。なお、このとき、基板２３１の外周部のうちの所定角度位置の部分が、図７に示すように、前記給水部２２１の係合凹部２２１ａに載置状態で嵌合する。
【００３３】
一方、前記外周壁２０１と内周壁２０３との間の間隙は、それらの周方向の所定角度位置の部位で（その他の部位よりも）小さい寸法に設定されており、その部位により雌螺子部２０３Ａが形成されている。雌螺子部２０３Ａは、外周壁２０１及び内周壁２０３の複数の部位に所定角度間隔を置いて（例えば、４か所の部位に９０度間隔を置いて）設けられており、締結手段としての（タッピングビス等の）雄螺子２５１の雄螺子部の先端側をねじ込むための（挿通孔又は雌螺子孔からなる）ビス孔を有している。そして、嵌合部２３２を内周壁２０３の内周面に沿って挿入して密嵌することにより、基板２３１が外周壁２０１及び内周壁２０３の上端に仮止め状態で載置固定されて、外周壁２０１及び内周壁２０３の上端側で外周壁２０１より内側の空間を閉塞するようになっている。更に、この状態で、雌螺子部２０３Ａに雄螺子２５１を螺入することで、基板２３１を外周壁２０１及び内周壁２０３の上端側に固着することができ、これにより、基板２３１及び嵌合部２３２が内周壁２０３及び散水板２０２と共に前記貯水空間ＷＳを形成するようになっている。
【００３４】
＜連結軸＞
図１２に示すように、基板２３１の下面には、前記ノズル２１０と同一の複数本の連結軸２３４が、下方に直行して直線的に延びるよう一体形成されている。詳細には、各連結軸２３４は、前記ノズル２１０の挿通孔２１２ｂよりも若干小径の直線棒状又は円柱状をなしている。また、各連結軸２３４は、スピンドル本体２３０をシャワーキャップ本体２００に固定した状態で、図６、図８及び図９に示すように、基板２３１を基板２３１の下面からノズル２１０の底壁２１２よりも所定距離だけ手前（上方）の位置まで延びる長さ寸法を有している。連結軸２３４は、それぞれ、基板２３１の下面において、（嵌合部２３２を内周壁２０３に密嵌して基板２３１を外周壁２０１に固着したときに）散水板２０２から下方に突出するノズル２１０の周壁２１１の軸心に一致する位置に配設されている。即ち、連結軸２３４は、基板２３１において、（前記散水板２０２においてノズル２１０が配置される仮想円と同一半径の）所定半径の仮想円に沿って（及び、基板２３１の外周縁に沿って）、所定間隔で複数個（図の例では、ノズル２１０と同一角度間隔で同一数となるよう、３６度の等間隔で１０個）、基板２３１から突出するよう一体的に設けられている。また、連結軸２３４は、図６、図８、図９、図１２に示すように、基板２３１の下面から下方に所定距離だけ突出している。具体的には、連結軸２３４は、（嵌合部２３２を介して基板２３１を外周壁２０１及び内周壁２０３に固着した状態で）その先端（下端）がノズル２１０の先端（下端）よりも所定距離（例えば、ノズル２１０の全長の１／５〜１／６程度の距離）だけ上方に位置するような長さ寸法を有している。
【００３５】
＜基部及び係止部＞
基部２３５は、各連結軸２３４の先端（下端）に、（連結軸２３４の軸心と直交するよう）外方に張り出すフランジ板状となるよう一体形成されている。基部２３５は、図９中の一点鎖線内の拡大図に示すように、ノズル２１０の周壁２１１の内径と同一の外径（又はコンマミリ単位で若干小さい外径）を有し、スピンドル本体２３０をシャワーキャップ本体２００に接合固着するために嵌合部２３２を内周壁２０３の内部に挿入して密嵌していく際に、基部２３５の外周面が周壁２１１の内周面に摺接して、連結軸２３４を軸方向に移動案内し、連結軸２３４がノズル２１０内に円滑に挿入されるようにする。また、基部２３５は、連結軸２３４をノズル２１０内に挿入完了した状態（図９等の状態）では、その外周面が周壁２１１の内周壁に当接して、連結軸２３４がノズル２１０内で半径方向に移動することを規制する。また、フランジ板状をなす基部２３５の一部は、図９中の一点鎖線内の拡大図に示すように、切り欠かれて通水開口２３５ａを形成している。これにより、ノズル２１０内の通水空間ＰＳの水のうち、基部２３５より上側部分の水が、通水開口２３５ａを介してノズル２１０の底壁２１２へと流通自在となっている。一方、係止部２３６は、基部２３５の下面の中心から下方に直交して突出するよう一体形成されている。係止部２３６は、基部２３５より小径の小円板状又は短円柱状又は厚肉円形フランジ状をなしている。また、係止部２３６の直径は、ノズル２１０の底壁２１２の挿通孔２１２ｂの直径よりも若干大径に設定されている。
【００３６】
＜ブラシ部及びシール部＞
ブラシ部２３７は、係止部２３６の下面の中心から下方に直交して突出するよう一体形成されている。ブラシ部２３７は、係止部２３６より更に若干小径の（例えば、０．５〜１ｍｍ程度小径の）円柱状又は直線棒状をなしている。また、ブラシ部２３７の直径は、ノズル２１０の底壁２１２の挿通孔２１２ｂの直径と同一径（又は、コンマミリ単位で若干小径）に設定されている。更に、ブラシ部２３７の先端部（下端部）は、半球状に形成されている。一方、シール部２３８は、ブラシ部２３７の基端側の外周面に、軸方向に所定間隔を置いて２段となるよう一体形成されている。シール部２３８は、ブラシ部２３７の外周面から放射方向に突出する断面半円形状をなすと共に、ブラシ部２３７の外周面の全周にわたって連続的に延びる円環状又はリング状をなしている。また、ブラシ部２３７の長さ寸法は、ノズル２１０の底壁２１２の厚み寸法より大きな寸法（例えば、約２〜３倍程度の寸法）に設定されている。これにより、図９に示すように、ブラシ部２３７を底壁２１２の挿通孔２１２ｂに挿通してその基端を底壁２１２の上面の挿通孔２１２ｂの周縁部に当接すると、ブラシ部２３７の先端側の所定長部分（例えば、全長の１／２程度の長さ部分）が底壁２１２の下面の中心位置から下方に（底壁２１２と直交して）突出するようになっている。また、このとき、２段のシール部２３８は、いずれも、底壁２１２の挿通孔２１２ｂの内周面に弾接的に密接し、シール部２３８と底壁２１２の挿通孔２１２ｂの内周面との間の水密を維持すると共に、ブラシ部２３７の基端側（特に、底壁２１２の挿通孔２１２ｂに挿入されている部分）が底壁２１２の半径方向に移動又は位置ずれ等することを規制している。
【００３７】
ここで、前記基部２３５の厚み寸法及び係止部２３６の厚み寸法を合わせて合計長さ寸法（上下方向寸法）は、（ノズル２１０に連結軸２３４を完全に挿入した状態で）前記連結軸２３４の下端とノズル２１０の底壁２１２の上面との間の間隙と同一となる寸法に設定されている。これにより、ノズル２１０に連結軸２３４を完全に挿入した状態で、係止部２３６の下面が底壁２１２の上面において挿通孔２１２ｂの周縁部（具体的には、底壁２１２の中心部の挿通孔２１２ｂと、その周囲にある噴射孔２１２ａとの間の部分）に当接し、係止部２３６及び基部２３５を介して、連結部２３４が基板２３１と底壁２１２との間で上下方向に位置固定されるようになっている。また、ブラシ部２３７は、その先端側の所定長部分が、上記のとおり、ノズル２１０の底壁２１２から突出しているが、前記シール部２３８による底壁２１２の挿通孔２１２ｂとの当接によって半径方向への移動を規制されることに加えて、係止部２３６を介した基部２３５による周壁２１２の内周面との当接によっても半径方向への移動を規制される。
【００３８】
［スピンドル］
スピンドル２４０は、図１１及び図１２に示すように、スピンドル本体２３０の基盤２３１の上面の中心に一体的に突設され、前記ハンドル３００の操作によりスピンドル本体２３０を上下方向に往復駆動する部材又は部分である。詳細には、スピンドル２４０は、駆動軸部２４１及び雄螺子部２４２を一体的に備えている。駆動軸部２４１は、基板２３１の上面の中心位置から上方に直交して延びる円柱状をなしている。駆動軸部２４１の長さ寸法（即ち、基板２３１からの突出寸法）は、図９に示すようにスピンドル本体２３０をシャワーヘッド本体１００の筐体１０１，１０２の内部空間の最下位置（下限位置）に配置した状態（スピンドル本体の「下限位置」ということがある。）で、その上端側の一部となる所定長部分が（例えば、駆動軸部２４１の全長の１／４〜１／５程度の長さの上端側部分、以下、単に「上端側所定長部分」ということがある。）、円筒状の連結部１０３の内部空間の下端側の一部となる所定長部分（例えば、連結部１０３の全長の１／３〜１／４程度の長さの下端側部分）に配置されるような長さ寸法に設定されている。また、駆動軸部２４１の直径は、連結部１０３の内径より所定寸法だけ（即ち、後述するハンドル３００の連結部３０２の厚みに対応する寸法だけ）小さく設定されている。更に、前記雄螺子部２４２は、駆動軸部２４１の前記上端側所定長部分の外周面に、所定角度間隔を置いて複数個（図示の例では、９０度間隔を置いて４個）一体的に設けられている。また、各雄螺子部２４２は、多条螺子（例えば、四条螺子）の雄螺子側を構成する部材又は部分であり、前記多条螺子の雄螺子側の螺子山２４３を一体的に備えている。
【００３９】
＜シャワーキャップ本体及びスピンドル本体の各部の材質＞
ここで、スピンドル本体２３０は、例えば、所定の合成樹脂材料（好ましくは、ＰＯＭ（ポリアセタール）樹脂等のエンジニアリングプラスチック）を使用して、所定の成形方法（例えば、射出成形法）により、上記構成となるように形成することができる。即ち、スピンドル本体２３０は、所定の剛性を維持して外力に対して容易に湾曲又は変形等しないような材料により形成される。一方、スピンドル本体２３０のうち、少なくともブラシ部２３７は、ブラッシング対象の皮膚や体毛に対して所定のブラッシング機能を発揮する必要があり、外力に対して所定の可撓性や弾性を発揮する必要がある。したがって、ブラシ部２３７は、スピンドル本体２３０のその他の部分が所定の剛性を有して自己形状保持を必要とするために剛性の高い材料から形成されるのに対して、所定の弾性及び可撓性を有する材料（好ましくは、エラストマー材料）により形成される。これにより、ブラシ部２３７は、ブラッシング対象のブラッシング時にブラッシング対象（例えば、皮膚等）に所定の弾性又は可撓性を有して湾曲等しながら弾接する柔構造を有することになり、ブラッシング対象のブラッシング効果を高めるようになっている。一方、ブラシ部２３７が装着されるノズル２１０は、上記のとおりの剛性の高い材料から形成される剛構造を有している。即ち、ノズル２１０は、ブラッシング対象の体毛間（特に、密生状態にある体毛間）であっても円滑かつ確実に分け入ることができ、（ブラシ部２３０の下端よりは上方にある）ノズル２１０の下端の噴射孔２１２ａからのシャワー水を密生する体毛間に確実に噴射して、例えば、ダブルコートのペット等においても上毛から下毛まで（更には、下毛の根元の皮膚まで）シャワー水を確実に到達させることができる剛構造を有している。
【００４０】
［ハンドル］
ハンドル３００は、図６〜図１１に示すように、シャワーヘッド本体１００の連結部１０３に装着されて、シャワーヘッド本体１００の筐体１０１，１０２の内部空間のスピンドル本体２３０を介してシャワーキャップ本体２００と作用的に連結され、スピンドル本体２３０を介してシャワーキャップ本体２００のノズル２１０（及び、スピンドル本体２３０のブラシ部２３７）を上下方向に往復駆動するための部材である。詳細には、ハンドル３００は、把持部３０１、連結部３０２、凹溝部３０３を一体的に備えている。詳細には、把持部３０１は、図１〜図４に示すような所定直径の円形ハンドル形状を有している。把持部３０１の直径は、連結部１０３の直径より相当程度大径とされている。また、連結部３０２は、把持部３０１の下面の中心部から下方に突出するよう把持部３０１に一体形成されている。連結部３０２は、所定直径で軸方向に所定長だけ延びる円筒状をなしている。連結部３０２の直径のうち外径は、シャワーヘッド本体１００の連結部１０３の内径と同一径（正確には、連結部３０２の外周面が連結部１０３の内周面に対して周方向に摺動自在となるよう、コンマミリ単位で若干小径）に設定されている。また、連結部３０２の軸方向の長さ寸法（上下寸法）は、連結部１０３の軸方向の長さ寸法（上下寸法）と同一寸法に設定されている。一方、凹溝部３０３は、連結部３０２の上下方向中央部を、一定幅で一定深さだけ、その全周にわたって薄肉とすることで形成されたリング状部分である。具体的には、連結部３０２を連結部１０３に完全に挿着した図６等の状態で、凹溝部３０３は、凹溝部１０４と同一の上下位置に凹溝部１０４と同一幅で連結部３０２の円周方向に延びるよう形成されている。即ち、凹溝部３０３は、（前記凹溝部１０４に対応して）連結部３０２の上下方向中央部の全周に沿って、前記一定幅で一定深さの凹溝を形成して延びる部分である。
【００４１】
図１１に示すように、連結部３０２において凹溝部３０３より下方の所定位置には、Ｏリング３０４が装着されている。そして、連結部３０２を連結部１０３の内部に完全に挿入した状態で、連結部３０２の外周面が連結部１０３の内周面に密接すると共に、Ｏリング３０４が連結部１０３の内周面に弾接してシール機能等を発揮するようになっている。また、図９等に示すように、連結部３０２の内周面には、前記多条螺子の雄螺子側である雄螺子２４３に対して多条螺子の雌螺子側となる雌螺子部３０５が一体形成されている。そして、雌螺子部３０５は、前記スピンドル２４０の雄螺子部２４２の雄螺子２４３と噛合するようになっている。即ち、連結部３０２を連結部１０３に挿入すると共に、スピンドル２４０の上端部の雄螺子部２４２の全体を雄螺子２４３を介して（雄螺子部２４２の長さ部分だけ）雌螺子部３０５に螺入した状態で、図９等に示すように、シャワーキャップ本体２００のが、シャワーヘッド本体１００の筐体１０１，１０２の内部空間における前記下限位置にくるようになっている。なお、ハンドル３００は、例えば、ＡＢＳ樹脂等の所定の汎用合成樹脂材料（或いは、エンジニアリングプラスチック等の合成樹脂材料）を使用して、所定の成形方法（例えば、射出成形法）により、上記構成となるように形成することができる。少なくとも、ハンドル３００は、所定の剛性を維持して外力に対して容易に湾曲又は変形等しないような材料により形成される。
【００４２】
＜止め輪＞
一方、ハンドル３００は、図６（ｂ）や図１１に示す止め輪３１０により、連結部３０２を連結部１０３に連結することで、シャワーヘッド本体１００の連結部１０３に対して、回動自在かつ軸方向への移動不能状態（即ち、抜止された状態）で固定される。詳細には、止め輪３１０は、凹溝部１０４の直径及び幅寸法に対応する直径及び幅寸法を有するＥリング等からなり、図６（ｂ）、図７及び図９に示すように、その内周面側において凹溝部１０４の係止孔１０４ａと一致する角度位置に、係止孔１０４ａの外形と一致する外形の突起３１１を一体形成している。なお、止め輪３１０の突起３１１は、凹溝部１０４の係止孔１０４ａの深さよりも大きな長さ寸法を有しており、係止孔１０４ａに挿入したときに、係止孔１０４ａを越えて凹溝部１０４の内周面から内方に突出して、（連結部１０３に連結部３０２を完全挿着した状態で凹溝部１０４に対向する）凹溝部３０３の内部に嵌合するようになっている。また、止め輪３１０の突起３１１が凹溝部１０４の内周面から内方に突出する突出寸法は、前記凹溝部３０３の深さ以下の寸法に設定されている。そして、連結部３０２を連結部１０３に完全に挿入して凹溝部３０３を凹溝部１０４に完全に整合させた後、止め輪３１０を凹溝部１０４に嵌合して装着すると共に、止め輪３１０の突起３１１を凹溝部１０４の係止孔１０４ａに挿入することにより、突起３１１が係止孔１０４ａを貫通し、凹溝部３０３の内部に進入して嵌合する。このとき、突起３１１の上面及び下面が、凹溝部３０３の上面及び下面に当接しており、連結部３０２が連結部１０３に対して軸方向に移動することを阻止しているが、一方、突起３１１は、凹溝部３０３に沿ってその周方向に（正逆いずれの方向にも）摺接状態で移動自在となっている。したがって、ハンドル３００は、止め輪３０１により連結部３０２を介して連結部１０２に対して軸方向への抜止状態で固定される一方で、正逆方向に回動自在となっている。
【００４３】
＜ノズル等の上下動構造＞
そして、図６（ｃ）に示すように、（上記のように連結部１０２に内装したハンドル３００の）連結部３０２の内周面に螺刻形成した雌螺子３０５に、スピンドル２４０の雄螺子部２４２の雄螺子２４３を螺入し、ハンドル３００の把持部３０１を正逆方向に回動することで、スピンドル２４０の連結軸部２４１を介して、（スピンドル本体２３０の基板２３１及び嵌合部２３２に一体的に固定された）シャワーキャップ本体２００をシャワーヘッド本体１００の筐体１０１，１０２の内部空間で上下方向に往復移動することができるようになっている。即ち、ハンドル３００の把持部３０１を正逆回転することで、シャワーキャップ本体２００は、シャワーヘッド本体１００の筐体１０１，１０２の内部空間において、図８（ａ）及び図１０（ａ）に示す下限位置と図８（ｂ）及び図１０（ｂ）に示す上限位置との間で上下方向に往復移動することができるようになっている。そして、図８（ａ）及び図１０（ａ）に示す下限位置では、スピンドル２４０の雄螺子部２４２のみがハンドル３００の雄螺子部３０５の下端部の対応長さ部分に螺入されて、連結軸部２４１のうち当該雄螺子部２４２の長さ部分だけがハンドル３００の連結部３０２の内部空間に収容され、前記貯水部２０３，２０２，２３１，２３２が、（散水板２０２の下面が固定キャップ１１０の上面に当接する）下限位置となる。これにより、ノズル２１０が、シャワーヘッド本体１００側の下限位置である固定キャップ１１０の下面位置から所定の突出寸法だけ（即ち、ノズル２１０の全長から固定キャップ１１０の厚み寸法を除いた寸法だけ）突出すると共に、ブラシ部２３７がノズル２１０の下端から前記突出寸法で突出する。一方、図８（ｂ）及び図１０（ｂ）に示す上限位置では、スピンドル２４０の雄螺子部２４２がハンドル３００の雄螺子部３０５の上端位置まで完全に螺入されて、連結軸部２４１の全長がハンドル３００の連結部３０２の内部空間に完全に収容され、前記貯水部２０３，２０２，２３１，２３２が、（基板２３１の上面から露出する雄螺子２５１の頭部の上面が頂壁１０２の下面に当接する）上限位置となる。これにより、ノズル２１０の全長が、シャワーヘッド本体１００の筐体１０１，１０２の内部空間に完全に収容される没入状態又は非突出状態となると共に、ノズル２１０の下端から突出するブラシ部２３７の下端部も、シャワーヘッド本体１００の筐体１０１，１０２の内部空間に完全に収容される完全非突出状態となる。例えば、このとき、ブラシ部２３７は、その下端が固定キャップ１１０の下面位置と略一致する位置まで没入する没入状態又は非突出状態となる。なお、このとき、例えば、雄螺子部２４２及び雌螺子部３０５を四条螺子により構成すると、ハンドル３００の把持部３０１を１回転するだけで、ノズル２１０を前記突出長の８０％程度の距離上下動することができる。即ち、ノズル２１０の突出長（又は、前記下限位置におけるブラシ部２３７の下端の高さ位置と前記上限位置におけるブラシ部２３７の下端の高さ位置との間の距離）は、例えば、２０ｍｍ程度とすることができるが、このとき、雄螺子部２４２及び雌螺子部３０５を所定の四条螺子により構成することで、把持部３０１を１回転することでノズル２１０を約１６ｍｍ上下動するよう構成することができる。
【００４４】
＜給水管の一体的上下動構造＞
また、このとき、（シャワーキャップ本体２００に一体化された）給水管２２０も、貯水部２０３，２０２，２３１，２３２の下限位置と上限位置との間での上下動に同期して、筐体１０１，１０２の外側で一体的に上下動する。よって、前記貯水部２０３，２０２，２３１，２３２の下限位置及び上限位置のいずれにおいても（及び、下限位置と上限位置との間のいずれの任意の上下方向位置でも）、図６（ａ）及び図７〜図１０に示すように、給水管２２０の接続口２２４ａは、常に、給水部２２１の内部流路２２１ａを介して、貯水部２０３，２０２，２３１，２３２の貯水空間ＷＳと定位置で連通している。また、このとき、給水管２２０の摺動部２２２も、貯水部２０３，２０２，２３１，２３２の下限位置と上限位置との間での上下動に同期して、シャワーヘッド本体１００の周壁１０１の外周面に沿って一体的に上下動して、周壁１０１の挿通口１０１ａの全体を遮蔽する（前記上限位置においても、少なくとも挿通口１０１ａの上側部分の全体を遮蔽する）。
【００４５】
［使用方法］
上記のように構成した本実施の形態のブラッシング機能付きシャワーヘッドは、以下のようにして使用することができる。即ち、まず、図１４に示すように、シャワーキャップ本体２００の給水管２２０の接続部２２４にシャワーホース４００の先端を接続する。この状態で、ペットのシャンプー作業を行う場合、ハンドル３００を操作してシャワーヘッド本体１００の筐体１０１，１０２からのノズル２１０の突出量を調節し、シャワーホース４００から給水管２２０を介してシャワーキャップ本体２００の貯水空間ＷＳに所定水圧のシャワー水を給水する。すると、シャワーキャップ本体２００の貯水空間ＷＳと連通する散水板２０２の散水孔２０２ａからシャワー水が吐出されると共に、貯水空間ＷＳと同様に連通するノズル２１０の通水空間ＰＳにシャワー水が所定水圧で流入する。これにより、所定水圧のシャワー水が、ノズル２１０の通水空間ＰＳを底壁２１２に向かって流動し、底壁２１２の噴射孔２１２ａからも噴射される。この状態で、作業者は、ペット等の所定のシャワー対象及びブラッシング対象に対し、シャワー作業やブラッシング作業を行うことができる。
【００４６】
＜片手操作＞
詳細には、例えばペットのシャワー作業及びブラッシング作業を同時に行う場合、作業者は、シャワーヘッド本体１００の筐体１０１，１０２を一方の手（例えば、利き手）で把持し、シャワーホース４００からの給水を開始して、図１４に示すように、散水板２０２からのシャワー水をペットの体毛の表面（図１４中の上毛ＧＨの先端からなる表面）に向けて吐出することで、散水板２０２の散水孔２０２ａからのシャワー水によりペットの体毛の特に表面側（即ち、上毛ＧＨ部分）に付着したシャンプー等についてすすぎ作業を行うことができる。また、このシャワー作業（すすぎ作業）と同時に、作業者は、（従来のブラッシング機能のないシャワーヘッドのように片手でシャワーヘッドを把持すると共にもう片方の手でブラシを把持することにより両手がふさがることはなく）ノズル部２１０及びノズル部２１０から突出するブラシ部２３７を従来のブラシと同様に使用して、ペットの体毛（上毛ＧＨに加え、特に、下毛ＵＣ部分）をブラッシングしたり、ブラシ部２３７の半球状先端部により皮膚ＳＫをマッサージしたりすることを容易かつ円滑に行うことができる。また、このブラッシング作業やマッサージ作業中、作業者は、それらの作業を円滑かつ効率的に行うために、筐体１０１，１０２を把持していない他方の手を使用して、ペットが動かないよう手で押さえたり、ペットの不意の動きを手で抑制したりすることを容易に行うことができる。
【００４７】
＜体毛内洗浄＞
一方、シャワーキャップ本体２００の散水板２０２の散水孔２０２ａからペットの体毛ＧＨ，ＵＣの表面に向けて吐出されたシャワー水は、基本的には、（体毛の表面、即ち、上毛Ｈの先端部分のみを流動してそれより内部に進入しない部分もあるが）体毛ＧＨ，ＵＣの内部にも進入及び浸透するため、散水板２０２からのシャワー水によりペットの体毛ＧＨ，ＵＣ内部のすすぎ作業を行うことも可能であるが、ペットの体毛ＧＨ．ＵＣの内部のすすぎ作業（特に下毛ＵＣや皮膚ＳＫに付着したシャンプー等のすすぎ作業）を完全かつ迅速に行うには、ノズル２１０をペットの体毛ＧＨ，ＵＣに差し込むことが非常に効果的である。即ち、このためには、作業者は、シャワーヘッド本体１００の筐体１０１，１０２を一方の手で把持し、シャワーホース４００からの給水を開始して、散水板２０２からのシャワー水をペットの体毛（上毛ＧＨ）の表面に向けて吐出する一方で、ノズル２１０の（筐体１０１，１０２からの）突出部分を（従来のブラシを体毛ＧＨ，ＵＣに差し入れるようにして）ペットの体毛ＧＨ，ＵＣ間に差し入れて、ノズル２１０の底壁２１２の噴射孔２１２ａからのシャワー水をペットの体毛ＧＨ，ＵＣの内部に噴射する。例えば、このとき、図１４に示すように、ノズル２１０の先端（下端）がペットの下毛ＵＣの内部（例えば、長さ方向中央付近）に位置するよう、ペットの体毛ＧＨ，ＵＣの内部にノズル２１０を差し入れる。こうすると、作業者は、ノズル２１０の下端の噴射孔２１２ａからのシャワー水を、ペットの体毛ＧＨ，ＵＣの内部の特に下毛ＵＣ部分や更に奥側の（体毛ＧＨ，ＵＣの根元にある）皮膚ＳＫにまで直接的に吐出して行き渡らせることができ、これにより、散水板２０２の散水孔２０２ａからのシャワー水に加え、ノズル２１０の噴射孔２１２ａからのシャワー水によって、ペットの体毛ＧＨ，ＵＣの全体のすすぎ作業を完全かつ迅速に行うことができ、特に、従来はすすぎが容易ではなく、すすぎに長時間を要していた体毛ＧＨ，ＵＣ内部（特に下毛ＵＣ部分）や皮膚ＳＫ表面に付着したシャンプー等について確実かつ迅速にすすぎ作業を行うことができる。
【００４８】
＜二段吐水＞
また、この作業で使用されるシャワー水としては、散水板２０２の散水孔２０２ａから吐出されるシャワー水と、ノズル２１０の噴射孔２１２ａから噴射されるシャワー水との２種類のシャワー水があり、かつ、その２種類のシャワー水が、（ペットに対して向かう方向となる）シャワーヘッド本体１００又はシャワーキャップ本体２００の厚さ方向及びノズル２１０の長さ方向において、二段構成となってペットの体表及び体毛内部に吐出及び噴射される。即ち、シャワー作業及びブラッシング作業の際、ペットの体毛の層の厚さ方向（図１４の上下方向、又は、体毛表面から皮膚に向かう方向及びその反対方向、以下、「体毛層厚さ方向」ということがある。）において、散水板２０２は、基本的に、前記ペットの体毛の表面（図１４の上毛ＧＨの表面）の直近位置に配置されて、前記体毛層厚さ方向の表面側（即ち、体毛層厚さ方向の上段側）から散水孔２０２ａを介してシャワー水を吐出することになるため、散水孔２０２ａからのシャワー水は、ペットの体毛ＧＨ，ＵＣの表面から所定深さまでの内部（即ち、上毛ＧＨの層の厚さ方向全体、及び、下毛ＵＣの層の厚さ方向の途中まで、例えば、ノズル２１０の先端が配置される位置まで）に吐出されて当該部分を洗浄する。更に、このとき、ノズル２１０の先端は、ペットの体毛の内部（図１４の下毛ＵＣの内部）に配置されて皮膚ＳＫの近傍位置に配置されて、前記体毛層厚さ方向の内部側又は裏面側（即ち、体毛層厚さ方向の下段側）から噴射孔２１２ａを介してシャワー水を噴射することになるため、噴射孔２１２ａからのシャワー水は、ペットの体毛の内部の中間位置から体毛の層の厚さ方向中間部（特に、下毛ＵＣの全体）の周囲に噴射されて当該体毛の層の厚さ方向中間部を洗浄すると共に、皮膚ＳＫに向かって吐出及び噴射されて皮膚ＳＫを洗浄する。よって、シャワーキャップ本体２００からのシャワー水は、体毛層厚さ方向において上下二段構成のシャワー水となってペットの体毛ＧＨ，ＵＣ及び皮膚ＳＫを洗浄するため、非常に効果的なシャワー洗浄を確実かつ迅速に行うことができる。
【００４９】
＜ブラッシング＞
更に、前記二段構成のシャワー水によりペットのシャワー作業を行うと同時に、ノズル２１０の先端から突出するブラシ部２３７によりペットの体毛ＧＨ，ＵＣや皮膚ＳＫのブラッシング作業及びマッサージ作業を行うことができるが、このとき、ペットの体毛ＧＨ，ＵＣ内部でのシャワー吐水となるノズル２１０の噴射孔２１２ａからのシャワー水は、ブラシ部２３７の周囲の直近位置からブラシ部２３７の周囲に集中的に噴射される。したがって、ブラシ部２３７によるペットのブラッシング作業において、ブラッシング対象部位の直近位置からシャワー水をブラッシング対象部位に直接的かつ効率よく噴射することができ、シャワー作業と同時のブラッシング作業を一層効果的に行うことができる。
【００５０】
＜ペットの種類適応＞
一方、上記のとおり、犬や猫等のペットは、種類（犬種等）によって体毛の長さが異なるため、体毛の長さに応じたシャワー作業やブラッシング作業を行うことが望ましいが、本実施の形態のブラッシング機能付きシャワーヘッドは、シャワーヘッド本体１００からのノズル２１０の突出量を調節することにより、ペットの体毛の長さの相違等、ペットの種類に応じた最適な態様でシャワー作業及びブラッシング作業を行うことができる。例えば、長毛種のペットのシャワー作業及びブラッシング作業を行う場合、図８（ａ）、図１０（ａ）、図１４（ａ）に示すように、ハンドル３００を操作してノズル２１０を下限位置の突出量（又は下限位置に近い位置の突出量）とし、上記のようにしてシャワー作業及びブラッシング作業を行うことで、長毛種のペットの体毛ＧＨ，ＵＣのうち下毛ＵＣの内部にノズル２１０の先端を確実に配置して、上記のような効果的なシャワー作業及びブラッシング作業を行うことができる。また、短毛種の犬のシャワー作業及びブラッシング作業を行う場合、図８（ｂ）、図１０（ｂ）、図１４（ｂ）に示すように、ハンドル３００を操作してノズル２１０を上限位置に近い位置の突出量とし、上記のようにしてシャワー作業及びブラッシング作業を行うことで、短毛種のペットの体毛ＧＨ，ＵＣのうち下毛ＵＣの内部にノズル２１０の先端を確実に配置して、上記のような効果的なシャワー作業及びブラッシング作業を行うことができる。更に、長毛種と短毛種との間の毛長（中毛種）のペットのシャンプー作業を行う場合、例えば、ノズル２１０を下限位置と上限位置との間の中間位置の突出量とし、上記のようにしてシャワー作業及びブラッシング作業を行うことで、中毛種のペットの体毛ＧＨ，ＵＣのうち下毛ＵＣの内部にノズル２１０の先端を確実に配置して、上記のような効果的なシャワー作業及びブラッシング作業を行うことができる。なお、このノズル２１０の突出量は、長毛種、短毛種、中毛種という区別に一律に依存することなく、実際のペットの体毛の長さに応じて、ハンドル３００を操作することで連続的に増減調節することができ、ノズル２１０を最適な突出量とした状態で、上記のような効果的なシャワー作業及びブラッシング作業を行うことができる。なお、例えば、ブラッシングを必要としないシャワー作業を行う場合、図８（ｂ）、図１０（ｂ）に示すように、ノズル２１０を上限位置とすることで、ノズル２１０の突出量をゼロとすることができる。この場合、シャワー水は、シャワーヘッド本体１００の筐体１０１，１０２の内部から、上記二段構成のシャワー水となって吐出される。
なお、ペットの体毛の種類として、例えば、適用犬種としては以下の種類がある。
長毛種：ゴールデンレトリバー、ポメラニアン、シュナウザー等
中毛種：コーギー、柴犬、ダックスフンド（ロング）等
短毛種：ラブラドールレトリバー、ダックスフンド（スムース）等
【００５１】
［作用効果］
上記のように構成した本実施の形態ブラッシング機能付きシャワーヘッドによれば、代表的な作用効果として、以下の作用効果を得ることができる。まず、上記のように、散水板２０２からの吐水に加えて、ノズル２１０からの吐水により、シャワー水がブラシ部２３７の根元（即ち、ノズル２１０の先端）から吐出されることから、そのシャワー水が、ペットの体毛ＧＨ，ＵＣの表面のみならず内部にも吐出されることになるため、散水板１０２からのシャワー水が撥水性を有する上毛により体毛内部への浸透を阻止されても、ノズル２１０からのシャワー水を下毛ＵＣまで（及び、皮膚ＳＫまで）行き渡らせることができ、体毛ＧＨ，ＵＣ及び皮膚ＳＫの洗浄を確実に短時間で行うことができる。また、剛構造のノズル２１０により剛毛である上毛ＧＨ間の隙間を広げて柔毛である下毛ＵＣまで差し入れることができ、散水板１０２からのシャワー水を上毛ＧＨ間に効果的に浸透させて下毛ＵＣまで（更には、下毛ＵＣの根元の皮膚ＳＫにまで）到達させるための十分な隙間を形成することもできる。即ち、ノズル２１０からのシャワー水のみならず、散水板１０２からのシャワー水をも、下毛ＵＣや皮膚ＳＫまで効果的に到達させることができる。その結果、上記二段構成のシャワー水が、ペットの体毛の下毛ＵＣや皮膚ＳＫまで完全に行き渡ることになり、下毛ＵＣや皮膚ＳＫに付着したシャンプーの洗浄を十分かつ迅速に行うことができる。特に、長毛種のペットのように下毛ＵＣの層の厚みが大きく、下毛ＵＣの先端から皮膚ＳＫまでの距離が大きいペットであっても、ノズル２１０からのシャワー水のみならず、散水板１０２からのシャワー水をも、下毛ＵＣや皮膚ＳＫまで効果的に到達させることができる。
【００５２】
また、上記ブラッシング作業においては、剛構造で所定直径の円筒状をなす（即ち、従来のブラシの毛よりも相当程度大きな直径となる円筒状をなす）ノズル２１０が、ペットの体毛間に分け入って進入することで、ノズル２１０によるブラッシング及びブラシ部２３７によるブラッシング及びマッサージを行う構成のため、人間の毛髪に比較して密生状態にある（かつ、上毛が剛毛となる）ペットの体毛であっても、体毛を円滑にブラッシングすることができる。即ち、ノズル部２１０やブラシ部２３７とペットの体毛との間の摩擦抵抗は非常に小さく、円滑なブラッシング作業を妨げることはなく、かつ、摩擦時の静電気によりペットの体毛を損傷するようなこともない。更に、上記のとおり、ペットのシャンプー後のシャワー作業又はすすぎ作業を確実かつ短時間で行うことができ、体毛に付着したシャンプーの洗い流しを迅速に行うことができるため、シャンプーの洗い流しが不十分となることによる皮膚疾患等の危険性を確実に防止することができる。更にまた、このブラッシング作業では、ノズル２１０が上記剛構造となっている一方で、ブラシ部２３７が上記柔構造となっているため、かつ、ブラシ部２３７の下端側の一部の所定長部分のみがノズル２１０の先端から露出する柔構造となっているため、ブラシ部２３７がブラッシング時の外力により自在に湾曲等し、ブラッシング対象のブラッシング作業及びマッサージ作業を非常に効果的に行うことができる。また、ブラシ部２３７が、十分な弾性及び可撓性を有するゴム材料又はエラストマー材料からなり、かつ、その先端が半球状（Ｒ形状）となっているため、ペットの皮膚ＳＫに優しく接触してマッサージ作業を行うことになり、マッサージ作業によるペットの不快感を大きく軽減することができる。
【００５３】
［発明の範囲］
本発明に係るブラッシング機能付きシャワーヘッドは、上記実施の形態の構成以外にも、発明の範囲を逸脱しない限りにおいて、任意の構成変更が可能である。例えば、シャワーヘッド本体からノズルが出没してその突出量を調節する構成としては、上記実施の形態の構成以外にも、ノズル又はノズルを一体的に設けた部材（例えば、シャワーキャップ本体）が、シャワーヘッド本体の軸心に沿って上下方向に往復動して突出量を増減変更可能な構成とする限りにおいて、任意の構成を採用することができる。また、ノズルの突出量についても、ブラッシング対象となるペット等の毛長等の種類等に応じて、任意に設定することができる。更に、シャワーキャップ本体２００の散水板２０２等、ノズル以外のシャワー水の吐出構造についても任意の構成とすることができ、散水板等に設ける吐出用の孔（散水孔２０２ａ等）の数や配置角度間隔も任意の構成とすることができる。例えば、上記実施の形態では、所定複数個の散水孔２０２ａが１列で円形に配置されているが、二列（二重）以上の複数列となる配置することも可能である。また、散水板に散水孔をランダムに配置することも可能である。また、ノズルに設ける噴射孔の数や配置角度間隔も任意である。例えば、上記実施の形態では、ノズル２１０の噴射穴２１２ａは、底壁２１２に１列で円形となるよう配置されているが、二列（二重）以上の複数列で配置することも可能である。また、ノズル２１０の噴射孔２１２ａは、底壁２１２にランダムに配置することも可能である。更に、ブラシ部２３７のノズル２１０の底壁２１２からの突出寸法も任意とすることができる。また、例えばノズルの基端側にスプリングを介装して、ノズルを長さ方向に弾性的に伸縮自在とすることもでき、これにより、ブラシ部によるブラッシング時のペットの不快感を軽減することも可能である。或いは、ノズル部の内部においてブラシ部の基端側にスプリングを介装して、ブラシ部を長さ方向に弾性的に伸縮自在とすることもでき、これにより、ブラシ部によるブラッシング時のペットの不快感を軽減することも可能である。
【産業上の利用可能性】
【００５４】
本発明のブラッシング機能付きシャワーヘッドは、犬や猫等のペットのシャンプー作業と同時にペットの体毛のブラッシング作業をも行うことができるブラッシング機能付きシャワーヘッドとして利用することができるが、人用のブラッシング機能付きシャワーヘッドとして利用することも可能である。
【符号の説明】
【００５５】
１００：シャワーヘッド本体（ＡＢＳ）
１０１：周壁（筐体部）、１０１ａ：挿通口、１０２：上壁（筐体部）
１０３：連結部、１０４：凹溝部、１０４ａ：係止孔、１０５：上側突部
１１０：固定キャップ（ＰＯＭ）
１１１：リング板部、１１１ａ：間隙、１１２：下側突部
１２１：雄螺子（タッピングビス）
２００：シャワーキャップ本体（ＡＢＳ）
２０１：外周壁、２０２：散水板、２０２ａ：散水孔
２０３：内周壁、２０３Ａ：雌螺子部
２１０：ノズル、２１１：周壁、２１２：底壁、２１２ａ：噴射孔、２１２ｂ：挿通孔
２２０：給水管
２２１：給水部、２２１ａ：内部流路、２２２：摺動部、２２３：導水部
２２４：接続部、２２４ａ：接続口、２２４ｂ：凹溝、２２５：Ｏリング
２３０：スピンドル本体、２３１：基板、２３２：嵌合部、２３３：シール材
２３４：連結軸、２３５：基部、２３５ａ：通水開口、２３６：係止部
２３７：ブラシ部（エラストマー）、２３８：（リング状）シール部
２４０：スピンドル、２４１：駆動軸部、２４２：雄螺子部、２４３：螺子山
２５１：雄螺子
３００：ハンドル（ＡＢＳ）
３０１：把持部、３０２：連結部、３０３：凹溝部、３０４：Ｏリング
３０５：雌螺子部
３１０：止め輪（Ｅリング、ＰＯＭ）、３１１：突起
ＰＳ：通水空間、ＷＳ：貯水空間
ＧＨ：上毛（ペットの体毛）、ＵＣ：下毛（ペットの体毛），ＳＫ：皮膚
【図１】
0006382064.tif 000002
【図２】
0006382064.tif 000003
【図３】
0006382064.tif 000004
【図４】
0006382064.tif 000005
【図５】
0006382064.tif 000006
【図６】
0006382064.tif 000007
【図７】
0006382064.tif 000008
【図８】
0006382064.tif 000009
【図９】
0006382064.tif 000010
【図１０】
0006382064.tif 000011
【図１１】
0006382064.tif 000012
【図１２】
0006382064.tif 000013
【図１３】
0006382064.tif 000014
【図１４】
0006382064.tif 000015